(57)【要約】【課題】  軸直角方向のスライド機構部が管軸直角方向の変位吸収量に制限されることなく自由に設定することができるとともに、軸直角方向の変位を吸収した状態であっても、管軸推力に対する固定ボルトに傾きが生じないため、球面座金を必要としない。【解決手段】  筒状部１１とフランジ部１２とを有し筒状部１１を配管機器２の内部に装着した軸線方向に移動可能な軸方向移動管体６と、この軸方向移動管体６のフランジ部１２に環状空間７を形成するように配置された環状リテーナ８と、一端側に環状係合部１６および他端側にフランジ部１７を有し環状係合部１６を軸方向移動管体６と環状リテーナ８との間に形成された環状空間７に装着した軸方向に直交する方向に移動可能な軸直交方向移動管体９とを有し、配管機器側に位置する配管機器２と管路側に位置する配管４との間に配置される。【選択図】  図１
2006226319.tif 000002
【特許請求の範囲】
【請求項１】
配管機器側に位置する配管機器と管路側に位置する配管との間に配置された配管機器と管路の変位調整機構において、前記変位調整機構は、筒状部とフランジ部とを有し筒状部を配管機器の内部に装着した軸線方向に移動可能な軸方向移動管体と、この軸方向移動管体のフランジ部に環状空間を形成するように配置された環状リテーナと、一端側に環状係合部および他端側にフランジ部を有し環状係合部を軸方向移動管体と環状リテーナとの間に形成された環状空間に装着した軸方向に直交する方向に移動可能な軸直交方向移動管体とを有することを特徴とする配管機器と管路の変位調整機構。
【請求項２】
配管機器のフランジ部内周面と軸方向移動管体の筒状部外周面との間に環状シールリングを配置し、軸方向移動管体のフランジ部と軸直交方向移動管体の環状係合部の間にＯリングを配置したことを特徴とする請求項１記載の配管機器と管路の変位調整機構。
【請求項３】
配管機器フランジ部と軸方向移動管体フランジ部との間に管軸推力固定ボルトを配置したことを特徴とする請求項１または２に記載の配管機器と管路の変位調整機構。
【発明の詳細な説明】
【技術分野】
【０００１】
本発明は、管軸方向および管軸に直交する方向の調整を可能にする配管機器と管路の変位調整機構に関する。
【背景技術】
【０００２】
バルブ、ポンプ、流量計等の配管機器を管路に接続する場合、配管機器と管とのフランジ接合作業において、対向するフランジ部のフランジ面の位置合わせ（管軸方向の位置合わせ、管軸方向に直交する方向の位置合わせ、フランジ面の平行度の合わせ、フランジボルト孔ピッチ円周方向位置合わせ）が重要である。
【０００３】
配管機器の管路への接続は、配管機器のフランジ部と管路のフランジ部をそれぞれのフランジボルト孔が整合するように配置し、配管機器のフランジ部と管路のフランジ部を整合したフランジボルト孔を通るボルトおよびナットの締結により行なうようにしている。
【０００４】
しかし、上記のように両者のフランジ部同士を直接接続する構造であると、フランジ面間寸法の割付けに高精度が要求されることをはじめ、メンテナンス等の際に配管機器を取り外すことが極めて困難になることなどから、通常配管機器側と管路側との接続部にフランジ面間調整継手が用いられている。
【０００５】
従来から用いられているフランジ面間調整継手は、配管機器の接続部に設けられているフランジ部と外管のフランジ部とがボルトで結合され、管路の端部に溶接により接続された内管が外管内に挿入され、外管の端部に係着されたリング状のハウジング内のゴムリング等のシール材が内管の外周面に密着して外管と内管との嵌合隙間のシールを図るように構成されている。
【０００６】
上記従来のフランジ面間調整継手では、管軸方向の位置合わせに対しては外管と内管との嵌合深さにより有効に対応することができるが、配管機器側と管路側との軸心のずれに対しては対応することが極めて困難となり、このずれの大きさによっては接続不能となることがあった。
【０００７】
そこで、本発明者は、配管機器のフランジ部と管路のフランジ部のフランジ面の位置合わせの作業性を改良するために、配管機器のフランジ部と管路のフランジ部との間に配置される変位調整用継手を開発した。
【０００８】
上記変位調整用継手は、配管機器側に設けられたフランジ部と管路端に位置する内管側のフランジ部とにそれぞれ相対応して所要数のボルト挿通孔を穿設し、これらフランジ部のボルト挿通孔にボルトを遊嵌状態に挿通し、配管機器側のフランジ部と内管側のフランジ部との間に内管の外周面に密接するシール材を有する外管を挟在させ、ルト挿通孔の外面側に球面座を介在させてナットで締結する構成である（特願平２００４−１０９９６２号参照）。
【発明の開示】
【発明が解決しようとする課題】
【０００９】
上記変位調整用継手は、管軸方向の位置合わせに加え、軸心のずれや曲がりに対しても適応して接続を可能とするが、管軸直角方向の変位吸収量が制限されてしまうという問題がある。
【００１０】
本発明は、上記した点を考慮してなされたもので、管軸直角方向の変位吸収量に制限されることなく、管軸直角方向の調整が可能な配管機器と管路の変位調整機構を提供することを目的とする。
【課題を解決するための手段】
【００１１】
本発明の配管機器と管路の変位調整機構は、筒状部とフランジ部とを有し筒状部を配管機器の内部に装着した軸線方向に移動可能な軸方向移動管体と、この軸方向移動管体のフランジ部に環状空間を形成するように配置された環状リテーナと、一端側に環状係合部および他端側にフランジ部を有し環状係合部を軸方向移動管体と環状リテーナとの間に形成された環状空間に装着した軸方向に直交する方向に移動可能な軸直交方向移動管体とから構成される。
【００１２】
するものである。
【発明の効果】
【００１３】
本発明によれば、軸直角方向のスライド機構部が管軸直角方向の変位吸収量に制限されることなく自由に設定することができるとともに、軸直角方向の変位を吸収した状態であっても、管軸推力に対する固定ボルトに傾きが生じないため、球面座金を必要としない。
【発明を実施するための最良の形態】
【００１４】
以下、本発明による配管機器と管路の変位調整機構の一実施形態について、添付の図面を参照しながら説明する。  
図１において、符号１は本発明による配管機器と管路の変位調整機構を示し、この配管機器と管路の変位調整機構１は、配管機器２のフランジ部３と管路４の配管機器２に最も近いフランジ部５との間に配置される。
【００１５】
上記配管機器と管路の変位調整機構１は、配管機器２の内部に軸線方向に移動可能に配置された軸方向移動管体６と、この軸方向移動管体６に環状空間７を形成するように配置された環状リテーナ８と、軸方向移動管体６と環状リテーナ８との間に形成された環状空間７に軸方向に直交する方向に移動可能に配置された軸直交方向移動管体９とから構成される。
【００１６】
上記軸方向移動管体６は、配管機器２のフランジ部３に形成された口部１０に軸線方向に移動可能に装着される筒状部１１とこの筒状部１１の配管機器２と反対側端に形成されたフランジ部１２とを有する。配管機器２のフランジ部３の口部１０の内面１０ａと筒状部１１の外面１１ａとの接合面には、特殊ゴムで成形したシールリング１３が配置されている。このシールリング１３は、配管機器２のフランジ部３の口部１０の内面１０ａに形成された環状溝１４に装着されていることが好ましい。
【００１７】
上記環状リテーナ８は、断面略Ｌ形であって、半径方向内方を開口した環状空間７を形成するように軸方向移動管体６のフランジ部１２の配管機器２と反対側端のフランジ面１２ａに周方向に間隔を置いた複数のボルト１５を介して取り付けられている。
【００１８】
上記軸直交方向移動管体９は、一端側に半径方向外方に突設された環状係合部１６および他端側に形成されたフランジ部１７とを有する。軸直交方向移動管体９に形成された環状係合部１６は、軸方向移動管体６と環状リテーナ８との間に形成された環状空間７に密に係合しかつ環状空間７に対して半径方向に移動できる寸法である。軸方向移動管体６のフランジ部１２の配管機器２と反対側端のフランジ面１２ａと軸直交方向移動管体９に形成された環状係合部１６との間にＯリング１８が配置されている。このＯリング１８は、軸直交方向移動管体９に形成された環状係合部１６に形成された環状溝１９に装着されていることが好ましい。
【００１９】
また、配管機器２のフランジ部３には周方向に間隔を置いた複数の管軸推力に対する固定ボルト２０が配置されている。各固定ボルト２０は、フランジ部３に対する突出長さがねじ部２０ａのフランジ部３の両側に位置するナット２１，２１により調整される。
【００２０】
なお、図１において、符号２２は軸直交方向移動管体９のフランジ部１７と管路４の端部フランジ部５とを結合するためのボルトナット手段である。
【００２１】
つぎに、本発明による配管機器と管路の変位調整機構１の作用を説明する。  
上記配管機器と管路の変位調整機構１は、軸方向移動管体６のフランジ部１２に軸直交方向移動管体９の環状係合部１６が整合するように、軸方向移動管体６と軸直交方向移動管体９を配置し、軸方向移動管体６のフランジ部１２に環状リテーナ８を軸直交方向移動管体９の環状係合部１６を囲むように配置し、環状リテーナ８をボルト１５を介して軸方向移動管体６のフランジ部１２に取り付けることで組み立てられる。この場合、軸方向移動管体６のフランジ部１２と軸直交方向移動管体９の環状係合部１６との間にＯリング１８が配置される。このＯリング１８は、軸方向移動管体６のフランジ部１２と軸直交方向移動管体９の環状係合部１６との接合面を液密にシールする。
【００２２】
また、上記配管機器と管路の変位調整機構１は、軸方向移動管体６の筒状部１１を配管機器２のフランジ部３の口部１０に軸線方向に移動可能に装着することで配管機器２に取り付けられる。この場合、配管機器２のフランジ部３の口部１０と筒状部１１との接合面に特殊ゴム製シールリング１３が配置される。この特殊ゴム製シールリング１３は、軸方向移動管体６の筒状部１１と配管機器２のフランジ部３の口部１０との接合面を液密にシールする。
【００２３】
上記配管機器と管路の変位調整機構１は、配管機器２のフランジ部３と管路４の配管機器２に最も近いフランジ部５との間に配置され、軸方向移動管体６の筒状部１１を配管機器２のフランジ部３の口部１０に軸線方向に移動可能に装着し、配管機器２のフランジ部３に設けた管軸推力に対する固定ボルト２０を軸方向移動管体６のフランジ部１２に当接させることで配管機器２に対する管軸方向の移動量が調節される。
【００２４】
また、上記配管機器と管路の変位調整機構１は、軸直交方向移動管体９のフランジ部１７に設けたボルト孔を管路４の配管機器２に最も近いフランジ部５に設けたボルト孔に整合し、整合したボルト孔にボルトナット手段２２を通し締結することで管路４に結合される。
【００２５】
本発明の配管機器と管路の変位調整機構１は、軸方向移動管体６が配管機器２に対して管軸方向に移動可能で、軸直交方向移動管体９が軸方向移動管体６に対して管軸直交方向に移動可能であるから、管軸直交方向の変位を吸収した状態であっても、管軸推力に対する固定ボルト２０に傾きが生じないので、従来の装置のような球面座金が不要となる。
【００２６】
また、本発明の配管機器と管路の変位調整機構１は、管軸推力に対する固定機構部に規格フランジを使用しないため、外径の小型化および管軸直交方向の対する固定ボルトの本数削減が可能になり、装置全体のコンパクト化を図ることができる。
【図面の簡単な説明】
【００２７】
【図１】本発明による配管機器と管路の変位調整機構の一部を断面で示す側面図である。
【符号の説明】
【００２８】
１  配管機器と管路の変位調整機構
２  配管機器
６  軸方向移動管体
７  環状空間
８  環状リテーナ
９  軸直交方向移動管体
【図１】
2006226319.tif 000003